(57)【要約】【課題】カメラモジュール等の電気部品を印刷配線基板等の他の電気部品に電気的に接続するにあたり、カメラモジュール等の電気部品の変位によるガタツキの発生を、比較的簡単な構成をもって効果的に抑制できるものとする。【解決手段】ハウジング（３７）に少なくとも２個が相互対向する位置をもって配され、ハウジング（３７）に電気部品が開口部（３２）を通じて開口部（３２）から端面部（３８）に向かう挿入方向をもって挿入されるとき、各々が電気部品に設けられた接続端子部に押圧接触するコンタクト部材（４０）を、弾性導電材料で形成され、電気部品に設けられた接続端子部に押圧接触したもとで、電気部品にその挿入方向とは逆の方向に対して０°＜α＜９０°を満たす角度αをなす方向の押圧力を作用させるものとして備える。【選択図】図１
2007012574.tif 000002
【特許請求の範囲】
【請求項１】
開口部及び該開口部に対向する端面部を有するハウジングと、
該ハウジングの上記端面部側に少なくとも２個が相互対向する位置をもって配され、各々が、上記ハウジング内に電気部品が上記開口部を通じて該開口部から上記端面部に向かう挿入方向をもって挿入されるとき、該電気部品に設けられた接続端子部に押圧接触するコンタクト部材と、
上記ハウジングの上記開口部側に設けられ、上記ハウジング内に挿入された上記電気部品を係止する可動係合部と、
を備え、
上記複数のコンタクト部材の夫々が、弾性導電材料で形成され、上記電気部品に設けられた接続端子部に押圧接触したもとで、上記電気部品に上記挿入方向とは逆の方向に対して０°＜α＜９０°を満たす角度αをなす方向の押圧力を作用させることを特徴とするコネクタ装置。
【請求項２】
上記複数のコンタクト部材の夫々が、上記挿入方向に対して傾斜して伸び、上記電気部品に設けられた接続端子部に弾力当接する帯状部分を有することを特徴とする請求項１記載のコネクタ装置。
【請求項３】
上記複数のコンタクト部材が、相互対向する２個の組を複数形成するものとされることを特徴とする請求項１または請求項２記載のコネクタ装置。
【請求項４】
少なくとも２組の上記相互対向する２個の組が、各々の相互対向方向を実質的に直交させることを特徴とする請求項３記載のコネクタ装置。
【請求項５】
上記可動係合部が、少なくとも上記ハウジング内に挿入された上記電気部品の上記挿入方向とは逆の方向への変位を妨げることを特徴とする請求項１から請求項４までのいずれかに記載のコネクタ装置。
【請求項６】
上記可動係合部が、一端側が上記ハウジングに固定されるとともに他端側に自由端が形成された弾性部材における、上記自由端に形成されることを特徴とする請求項１から請求項５までのいずれかに記載のコネクタ装置。
【請求項７】
上記可動係合部が、複数個設けられることを特徴とする請求項１から請求項６までのいずれかに記載のコネクタ装置。
【発明の詳細な説明】
【技術分野】
【０００１】
本願の特許請求の範囲に記載された発明は、カメラモジュール等とされる電気部品を、配線基板等とされる他の電気部品に電気的に接続された状態とするためのコネクタ装置に関する。
【背景技術】
【０００２】
カメラ付携帯電話機等の電子機器に実装される、比較的小型なカメラモジュールは、印刷配線基板への取付けが、当該カメラモジュールが全体的に挿入されることになる、ソケット型コネクタ装置が用いられてなされる。ソケット型コネクタ装置は、カメラモジュールと印刷配線基板とを電気的に接続するだけでなく、カメラモジュールを印刷配線基板上に機械的に位置決めする役割をも果たす。
【０００３】
従来提案されているカメラモジュール及びその印刷配線基板への取付けに用いられるソケット型コネクタ装置は、例えば、図５に示されるものとされている。図５に示される従来例にあっては、印刷配線基板１０上に開口部１１を有するソケット型コネクタ装置１２が固定され、カメラモジュール１３が、開口部１１を通じてソケット型コネクタ装置１２に係合するものとされることにより、カメラモジュール１３の印刷配線基板１０への取付けがなされる。
【０００４】
カメラモジュール１３は、矩形台状に形成された基部１４とその上に配されたレンズ内蔵部１５とを有しており、基部１４の底面には、複数の接続端子部１６が配列配置されている。これに対して、ソケット型コネクタ装置１２は、図６に示されるように、カメラモジュール１３の基部１４の外形寸法に対応するものとされた矩形の開口部１１を形成する、全体として枡形を成すハウジング１７を有している。そして、ハウジング１７の底面部１８に、複数のコンタクト部材１９が、カメラモジュール１３が開口部１１を通じてハウジング１７内に挿入されたとき、カメラモジュール１３の基部の１４の底面に配された複数の接続端子部１６に夫々対応するものとなる位置をもって配列配置されている。
【０００５】
複数のコンタクト部材１９の夫々は、弾性導電材料をもって形成されており、また、その一端部は、ハウジング１７の外部に臨むものとされた半田付接続部２０を形成している。半田付接続部２０は、図５に示されるように、ソケット型コネクタ装置１２が印刷配線基板１０上に固定されたもとで、印刷配線基板１０に配された印刷配線２１に半田付けによって接続される。
【０００６】
このようなもとで、カメラモジュール１３が印刷配線基板１０上に固定されたソケット型コネクタ装置１２を介して印刷配線基板１０に取り付けられるにあたっては、先ず、図７に示されるように、印刷配線基板１０上に固定されたソケット型コネクタ装置１２におけるハウジング１７が形成する開口部１１の上方に、カメラモジュール１３が、その基部１４の底面部をソケット型コネクタ装置１２に対向させる状態をもって位置するものとされる。続いて、カメラモジュール１３が、ソケット型コネクタ装置１２に向かって降下するものとされ、図８に示されるように、カメラモジュール１３の基部１４が、開口部１１を通じてソケット型コネクタ装置１２におけるハウジング１７内に挿入される。そして、カメラモジュール１３は、その基部１４の底面に配列配置された複数の接続端子部１６に、ソケット型コネクタ装置１２におけるハウジング１７の底面部１８に配列配置された複数のコンタクト部材１９が夫々押圧接触することになる位置をとるものとされる。コンタクト部材１９が接続端子部１６に押圧接触することになる状態におかれるものとされたカメラモジュール１３は、図示が省略された係止手段によってその状態に維持され、それにより、印刷配線基板１０に取り付けられた状態とされる。
【０００７】
上述のようにして、カメラモジュール１３が印刷配線基板１０に取り付けられたとき、ソケット型コネクタ装置１２における複数のコンタクト部材１９は、夫々が弾性導電材料をもって形成されていることにより、押圧接触した接続端子部１６を介して、カメラモジュール１３に上方、即ち、ソケット型コネクタ装置１２におけるハウジング１７内への挿入方向とは逆の方向の押圧力を作用させる。
【０００８】
このようなもとで、図５〜８に示されるコンタクト部材１９のような、従来提案されているコンタクト部材は、様々な具体的形状に形成されるものとされ、また、それが押圧接触するカメラモジュール側の接続端子部の位置に応じた位置をとるものとされる。図５〜８に示されるコンタクト部材１９の形状とは異なる具体的形状を有したコンタクト部材の例としては、カメラモジュールを浮動状態となるように支持すべく円弧状に形成され、カメラモジュールに、その接続端子部を介して、上方、即ち、カメラモジュールのソケット型コネクタ装置への挿入方向とは逆の方向の押圧力を作用させるものが挙げられる（例えば、特許文献１参照。）。また、図５〜８に示されるコンタクト部材１９の位置とは異なる位置に配されたコンタクト部材の例としては、カメラモジュール側の接続端子部がカメラモジュールの側面部に臨んでいることに応じて、当該カメラモジュールの側面部に対向する位置に配され、カメラモジュールに、その接続端子部を介して、横方向、即ち、カメラモジュールのソケット型コネクタ装置への挿入方向に直交する方向の押圧力を作用させるものが挙げられる（例えば、特許文献２参照。）。
【０００９】
【特許文献１】特開２００１−１８８１５５号公報（第３頁、第３図）
【特許文献２】特開２００４−６３３９１号公報（第４頁、第２図及び第３図）
【発明の開示】
【発明が解決しようとする課題】
【００１０】
上述のようなカメラモジュール及びその印刷配線基板への取付けに用いられるソケット型コネクタ装置のうちの、従来提案されたソケット型コネクタ装置においては、複数のコンタクト部材の夫々が、ハウジング内に挿入されたカメラモジュールに、それに設けられた接続端子部を介して、カメラモジュールのハウジング内への挿入方向とは逆の方向の押圧力、あるいは、カメラモジュールのハウジング内への挿入方向に直交する方向の押圧力を作用させる。それにより、ハウジング内に挿入されて接続端子部にコンタクト部材が押圧接触することになる状態に係止手段により維持されるカメラモジュールに、複数のコンタクト部材がカメラモジュールのハウジング内への挿入方向とは逆の方向の押圧力を作用させるものの場合には、当該押圧力に抗したカメラモジュールのハウジング内への挿入方向の変位を妨げることができ、かつ、係止手段がカメラモジュールのハウジング内への挿入方向とは逆の方向の変位を妨げることとなり、また、ハウジング内に挿入されて接続端子部にコンタクト部材が押圧接触することになる状態に係止手段により維持されるカメラモジュールに、複数のコンタクト部材がカメラモジュールのハウジング内への挿入方向と直交する方向の押圧力を作用させるものの場合には、当該押圧力に抗したカメラモジュールのハウジング内への挿入方向と直交する方向の変位を妨げることができることとなる。
【００１１】
しかしながら、斯かる従来提案されたソケット型コネクタ装置にあっては、そのハウジング内に挿入され、それに設けられた接続端子部にコンタクト部材が押圧接触することになる状態に係止手段によって維持されるカメラモジュールに対して、カメラモジュールのハウジング内への挿入方向とは逆の方向の押圧力を作用させるものの場合には、当該カメラモジュールについてのハウジング内への挿入方向と直交する方向の変位を妨げることができず、また、そのハウジング内に挿入され、それに設けられた接続端子部にコンタクト部材が押圧接触することになる状態に係止手段によって維持されるカメラモジュールに対して、カメラモジュールのハウジング内への挿入方向に直交する方向の押圧力を作用させるものの場合には、当該カメラモジュールについてのハウジング内への挿入方向及びそれとは逆の方向の変位を妨げることができない。
【００１２】
それゆえ、従来提案されたソケット型コネクタ装置にあっては、そのハウジング内に挿入され、それに設けられた接続端子部にコンタクト部材が押圧接触することになる状態に係止手段によって維持されるカメラモジュールに、そのハウジング内への挿入方向と直交する方向の変位、あるいは、そのハウジング内への挿入方向及びそれとは逆の方向の変位を許し、所謂、ハウジング内でのガタツキを生じさせることになってしまう。このようなカメラモジュールのハウジング内でのガタツキは、特に、当該カメラモジュールが、例えば、携帯電話機に適用されるものであって、ソケット型コネクタ装置により印刷配線基板に取り付けられた状態のもとで様々な動き，振動，衝撃等が加えられるものとされる場合には、比較的大なる規模で頻繁に発生するものとされる。そして、その結果、カメラモジュールに設けられた接続端子部のハウジングに設けられたコンタクト部材に対する位置ずれ、カメラモジュールに設けられた接続端子部あるいはハウジングに設けられたコンタクト部材の磨耗等が生じ、それに起因するカメラモジュールと印刷配線基板との電気的接続不良等の不都合がもたらされることになる虞がある。
【００１３】
こうした不都合の原因となるカメラモジュールのハウジング内でのガタツキの抑制は、ソケット型コネクタ装置をそのための固定手段や規制手段等を備えた複雑な構成を有するものとすることにより、図ることができると考えられる。しかしながら、ソケット型コネクタ装置に複雑な構成をもたせることは、部品点数の増大，製造工数の増大，コストの上昇，使い勝手の悪化等々、様々な不利益をまねくことになる。それゆえ、簡単な構成をもってカメラモジュールのハウジング内でのガタツキを抑制することができるソケット型コネクタ装置が望まれることになるが、従来にあっては、斯かるソケット型コネクタ装置は見当たらない。
【００１４】
斯かる点に鑑み、本願の特許請求の範囲に記載された発明は、例えば、カメラモジュールを印刷配線基板に電気的に接続された状態とすべく用いられるソケット型コネクタ装置として形成される、第１の電気部品を他の第２の電気部品に電気的に接続された状態とするためのコネクタ装置であって、それを介して、例えば、印刷配線基板とされる第２の電気部品に電気的に接続された、例えば、カメラモジュールとされる第１の電気部品について、その特定方向の変位によるガタツキの発生を、比較的簡単な構成をもって効果的に抑制することができるものを提供する。
【課題を解決するための手段】
【００１５】
本願の特許請求の範囲における請求項１から請求項７までのいずれかに記載された発明（以下、本発明という。）に係るコネクタ装置は、開口部及びその開口部に対向する端面部を有するハウジングと、ハウジングの端面部側に少なくとも２個が相互対向する位置をもって配され、各々が、ハウジング内に電気部品が開口部を通じてそれから端面部に向かう挿入方向をもって挿入されるとき、電気部品に設けられた接続端子部に押圧接触するコンタクト部材と、ハウジングの開口部側に設けられ、ハウジング内に挿入された電気部品を係止する可動係合部とを備えたものとされ、複数のコンタクト部材の夫々が、弾性導電材料で形成され、電気部品に設けられた接続端子部に押圧接触したもとで、電気部品に上述の挿入方向とは逆の方向に対して０°＜α＜９０°を満たす角度αをなす方向の押圧力を作用させるものとされて構成される。
【００１６】
そして、複数のコンタクト部材の夫々は、例えば、電気部品の挿入方向に対して傾斜して伸び、電気部品に設けられた接続端子部に弾力当接する帯状部分を有した具体的形状を有するものとされる。
【００１７】
上述のように構成される本発明に係るコネクタ装置にあっては、ハウジング内に開口部を通じてそれから端面部に向かう挿入方向をもって挿入された電気部品が、ハウジングの開口部側に設けられた可動係合部により、ハウジングの端面部側に設けられた複数のコンタクト部材の夫々が電気部品に設けられた接続端子部に押圧接触する状態をもって係止される。そして、弾性導電材料で形成された複数のコンタクト部材の夫々は、電気部品に設けられた接続端子部に押圧接触したもとで、可動係合部により係止された電気部品に、当該電気部品のハウジング内への挿入方向とは逆の方向に対して０°＜α＜９０°を満たす角度αをなす方向の押圧力を作用させる。
【００１８】
複数のコンタクト部材の夫々が電気部品に作用させる、当該電気部品のハウジング内への挿入方向とは逆の方向に対して０°＜α＜９０°を満たす角度αをなす方向の押圧力は、電気部品のハウジング内への挿入方向とは逆の方向の分力と、それに直交する分力、即ち、電気部品のハウジング内への挿入方向に直交する方向の分力とにベクトル分解される。従って、ハウジングの端面部側に設けられた複数のコンタクト部材の夫々は、ハウジングの開口部側に設けられた可動係合部により係止された電気部品に、当該電気部品のハウジング内への挿入方向とは逆の方向の押圧力と当該電気部品のハウジング内への挿入方向に直交する方向の押圧力とを作用させることになる。
【発明の効果】
【００１９】
このようなもとで、ハウジングの端面部側において相互対向する位置に配された２個のコンタクト部材が夫々電気部品に作用させる、二つの当該電気部品のハウジング内への挿入方向に直交する方向の押圧力は、互いに対向する方向のものとなる。即ち、これらの二つの押圧力は、一つの電気部品を互いに反対の方向から押し合うことになり、それによって、電気部品のハウジング内への挿入方向に直交する方向の変位を妨げる。
【００２０】
また、複数のコンタクト部材の夫々が、ハウジングの開口部側に設けられた可動係合部により係止された電気部品に作用させる、当該電気部品のハウジング内への挿入方向とは逆の方向の押圧力は、電気部品を可動係合部に押し付けることになり、それによって、電気部品のハウジング内への挿入方向の変位及びハウジング内への挿入方向とは逆の方向の変位を妨げる。
【００２１】
従って、本発明に係るコネクタ装置にあっては、夫々が比較的簡単な構成のものとされる複数のコンタクト部材及び可動係合部が、複数のコンタクト部材の各々が電気部品に設けられた接続端子部に押圧接触したもとで、当該電気部品のハウジング内への挿入方向の変位及びハウジング内への挿入方向とは逆の方向の変位とハウジング内への挿入方向に直交する方向の変位とのいずれをも妨げることになる。
【００２２】
それにより、本発明に係るコネクタ装置によれば、ハウジング内に開口部を通じてそれから端面部に向かう挿入方向をもって挿入され、可動係合部により複数のコンタクト部材の夫々が電気部品に設けられた接続端子部に押圧接触する状態をもって係止される電気部品についての、ハウジング内への挿入方向の変位，ハウジング内への挿入方向とは逆の方向の変位あるいはハウジング内への挿入方向に直交する方向の変位によるガタツキの発生を、比較的簡単な構成をもって、効果的に抑制することができることになる。そして、その結果、電気部品に設けられた接続端子部のハウジングに配されたコンタクト部材に対する位置ずれ、電気部品に設けられた接続端子部あるいはハウジングに配されたコンタクト部材の磨耗等が生じる事態を回避できる。
【発明を実施するための最良の形態】
【００２３】
本発明を実施するための最良の形態は、以下に述べられる本発明についての適用例及び実施例をもって説明される。
【００２４】
図２は、本発明に係るコネクタ装置の一例が、ソケット型コネクタ装置とされて、カメラモジュールとされた電気部品を印刷配線基板に電気的に接続するために用いられた適用例を示す。
【００２５】
図２に示される適用例にあっては、矩形の印刷配線基板３０上に、本発明に係るコネクタ装置の一例を成すソケット型コネクタ装置３１が固定されている。ソケット型コネクタ装置３１は、開口部３２を有するものとされており、図２においては、ソケット型コネクタ装置３１の上方に示されている電気部品であるカメラモジュール３３が、開口部３２を通じてソケット型コネクタ装置３１に係合するものとされる。それにより、カメラモジュール３３が、印刷配線基板３０に、電気的に接続される状態をもって取り付けられる。
【００２６】
カメラモジュール３３は、矩形台状に形成された基部３４とその上に配されたレンズ内蔵部３５とを有しており、基部３４の底面には、複数の接続端子部３６が配列配置されている。複数の接続端子部３６は、矩形とされた基部３４の底面の周縁部における４辺の一つを含む４箇所の夫々に、所定の間隔をおいて配されている。基部３４内には電子回路部が内蔵されていて、複数の接続端子部３６はその電子回路部に連結されている。
【実施例】
【００２７】
図１は、ソケット型コネクタ装置３１を成すものとされた本発明に係るコネクタ装置の一例を拡大して示す。
【００２８】
図１に示される例が形成するソケット型コネクタ装置３１は、電気部品であるカメラモジュール３３の基部３４の外形寸法に対応するものとされた矩形の開口部３２を形成する、全体として枡形を成すハウジング３７を備えている。ハウジング３７は、開口部３２に対向する矩形の端面部３８と、その矩形の端面部３８における４辺の夫々に連結された側壁部３９とを有している。
【００２９】
ハウジング３７の端面部３８側には、複数のコンタクト部材４０が、カメラモジュール３３が開口部３２を通じて開口部３２から端面部３８に向かう挿入方向（以下、モジュール挿入方向といい、必要に応じてＶを用いてあらわす。）をもってハウジング３７内に挿入されたとき、カメラモジュール３３の基部の３４の底面に配された複数の接続端子部３６に夫々対応するものとなる位置をもって配列配置されている。具体的には、複数のコンタクト部材４０は、ハウジング３７における矩形の端面部３８の周縁部における４辺の一つを含む４箇所の夫々とそれに連結された側壁部３９とを含む部分に、端面部３８の辺に沿って所定の間隔をおいて配されている。そして、矩形の端面部３８における対向２辺の一方に沿って配された複数のコンタクト部材４０と当該対向２辺の他方に沿って配された複数のコンタクト部材４０とは、対応するもの同士が相互対向する位置をとるものとされている。
【００３０】
複数のコンタクト部材４０の夫々は、例えば、燐青銅とされる弾性導電材料をもって、屈曲された板状体を成すものとして形成され、その一部に、モジュール挿入方向に対して傾斜して伸び、カメラモジュール３３の基部３４の底面に配された接続端子部３６に弾力当接する帯状部分４０Ａを有したものとされている。また、複数のコンタクト部材４０の夫々の一端部は、ハウジング３７の側壁部３９の外部に臨むものとされた半田付接続部４１を形成している。半田付接続部４１は、図２に示されるように、ソケット型コネクタ装置３１が印刷配線基板３０上に固定されたもとで、印刷配線基板３０に配された印刷配線４２に半田付けによって接続される。
【００３１】
このように、複数のコンタクト部材４０の夫々は、比較的簡単な構成のものとされるのであるが、上述の具体的形状は一例であって、斯かる例とは異なる種々の具体的形状を取り得るものである。
【００３２】
また、ハウジング３７の開口部３２側、即ち、ハウジング３７における４個の側壁部３９の夫々の開口部３２側には、一端側がハウジング３７における側壁部３９に固定され他端側が自由端を成すものとされた４個の弾性板状部材４３が取り付けられている。そして、４個の弾性板状部材４３の夫々における自由端には、カメラモジュール３３がハウジング３７内に挿入されたときそのカメラモジュール３３を係止する可動係合部４４が形成されている。可動係合部４４の夫々は、それが形成された弾性板状部材４３からハウジング３７内に突出するものとされている。このような弾性板状部材４３は、側壁部３９に固定された一端側に対して、可動係合部４４が形成された自由端を成す他端側が、ハウジング３７の内側及び外側に移動し得るものとなる。
【００３３】
このように４個の側壁部３９の夫々に弾性板状部材４３が取り付けられていることにより、ハウジング３７が形成する開口部３２は、具体的には、側壁部３９と弾性板状部材４３とによって形成されていることになる。そして、４個の弾性板状部材４３の夫々の自由端に形成された合計４個の可動係合部４４は、ハウジング３７の開口部３２側に設けられて、ハウジング３７内に挿入されたカメラモジュール３３を係止するものとなる。斯かる４個の可動係合部４４の夫々も、比較的簡単な構成のものとされている。
【００３４】
このようなもとで、カメラモジュール３３が、印刷配線基板３０上に固定されたソケット型コネクタ装置３１を介して印刷配線基板３０に、電気的に接続される状態をもって取り付けられるにあたっては、先ず、図３に示されるように、印刷配線基板３０上に固定されたソケット型コネクタ装置３１におけるハウジング３７が形成する開口部３２の上方に、カメラモジュール３３が、その基部３４の底面をソケット型コネクタ装置３１に対向させる状態をもって位置するものとされる。続いて、カメラモジュール３３が、ソケット型コネクタ装置３１のハウジング３７に向かって降下するものとされ、図４に示されるように、開口部３２を通じて開口部３２から端面部３８に向かう挿入方向、即ち、モジュール挿入方向をもってハウジング３７内に挿入される。
【００３５】
ソケット型コネクタ装置３１におけるハウジング３７内に挿入されたカメラモジュール３３は、その基部３４の底面に配列配置された複数の接続端子部３６に、ハウジング３７の端面部３８側に配列配置された複数のコンタクト部材４０が各々の帯状部分４０Ａをもって夫々押圧接触することになる、図４に示される位置をとるものとされる。そして、コンタクト部材４０がその帯状部分４０Ａをもって接続端子部３６に押圧接触することになる位置をとるカメラモジュール３３に対して、ハウジング３７に設けられた４個の可動係合部４４の夫々が、基部３４にその上方から係合し、ハウジング３７内に挿入されてコンタクト部材４０が接続端子部３６に押圧接触することになる状態とされたカメラモジュール３３を係止する。
【００３６】
それにより、ソケット型コネクタ装置３１におけるハウジング３７内に挿入されたカメラモジュール３３は、コンタクト部材４０がその帯状部分４０Ａをもって接続端子部３６に押圧接触することになる状態に維持され、ソケット型コネクタ装置３１を介して印刷配線基板３０に、電気的に接続された状態をもって取り付けられたものとされる。
【００３７】
上述のようにして、カメラモジュール３３が印刷配線基板３０に取り付けられたとき、ソケット型コネクタ装置３１における複数のコンタクト部材４０の夫々は、弾性導電材料をもって形成されており、モジュール挿入方向に対して傾斜して伸びる帯状部分４０Ａをもってカメラモジュール３３の接続端子部３６に押圧接触するので、その押圧接触した接続端子部３６を介して、カメラモジュール３３に、モジュール挿入方向に対して０°＜α＜９０°を満たす角度αをなす方向の押圧力を作用させる。例えば、複数のコンタクト部材４０のうちの相互対向する位置に配された２個の組を成すものである、図４に示されるコンタクト部材４０ａ及び４０ｂについてみると、コンタクト部材４０ａは、その帯状部分４０Ａをもって押圧接触した接続端子部３６ａ（複数の接続端子部３６のうちの一つ）を介して、カメラモジュール３３に、モジュール挿入方向とは逆の方向に対して０°＜α＜９０°を満たす角度αをなす方向の押圧力Ｆａ（図４において矢印で示される）を作用させ、また、コンタクト部材４０ｂは、その帯状部分４０Ａをもって押圧接触した接続端子部３６ｂ（複数の接続端子部３６のうちの一つ）を介して、カメラモジュール３３に、モジュール挿入方向とは逆の方向に対して０°＜α＜９０°を満たす角度αをなす方向の押圧力Ｆｂ（図４において矢印で示される）を作用させることになる。
【００３８】
コンタクト部材４０ａがカメラモジュール３３に作用させる押圧力Ｆａは、図４に示されるように、モジュール挿入方向（Ｖ）とは逆の方向（Ｖ’）に対して角度αをなす方向のものであって、モジュール挿入方向（Ｖ）とは逆の方向（Ｖ’）の分力Ｆａｖとモジュール挿入方向（Ｖ）に直交する方向（Ｈ）の分力Ｆａｈとにベクトル分解される。従って、コンタクト部材４０ａは、ハウジング３７の開口部３２側に設けられた可動係合部４４により係止されたカメラモジュール３３に、モジュール挿入方向とは逆の方向の押圧力とモジュール挿入方向に直交する方向の押圧力とを作用させることになる。
【００３９】
同様に、コンタクト部材４０ｂがカメラモジュール３３に作用させる押圧力Ｆｂは、図４に示されるように、モジュール挿入方向（Ｖ）とは逆の方向（Ｖ’）に対して角度αをなす方向のものであって、モジュール挿入方向（Ｖ）とは逆の方向（Ｖ’）の分力Ｆｂｖとモジュール挿入方向（Ｖ）に直交する方向（Ｈ’）の分力Ｆｂｈとにベクトル分解される。従って、コンタクト部材４０ｂは、ハウジング３７の開口部３２側に設けられた可動係合部４４により係止されたカメラモジュール３３に、モジュール挿入方向とは逆の方向の押圧力とモジュール挿入方向に直交する方向の押圧力とを作用させることになる。
【００４０】
但し、コンタクト部材４０ａがカメラモジュール３３に作用させるモジュール挿入方向に直交する方向の押圧力（図４における分力Ｆａｈ）と、コンタクト部材４０ｂがカメラモジュール３３に作用させるモジュール挿入方向に直交する方向の押圧力（図４における分力Ｆｂｈ）とは、互いに対向する方向のものとなる。即ち、これら二つの押圧力（分力Ｆａｈ及び分力Ｆｂｈ）は、カメラモジュール３３を互いに反対の方向から押し合うことになり、それによって、カメラモジュール３３のモジュール挿入方向に直交する方向の変位を妨げる。
【００４１】
ソケット型コネクタ装置３１における複数のコンタクト部材４０のうちの、コンタクト部材４０ａ及び４０ｂ以外の、相互対向する位置に配された２個の組を成すものが、ハウジング３７の開口部３２側に設けられた可動係合部４４によって係止されたカメラモジュール３３に作用させる押圧力も、上述のコンタクト部材４０ａ及び４０ｂがカメラモジュール３３に作用させる押圧力と同様である。そして、ソケット型コネクタ装置３１における複数のコンタクト部材４０は、各々の相互対向方向を実質的に直交させるものとされる、２組の相互対向する位置に配された２個の組を含むものであるので、それらがハウジング３７の開口部３２側に設けられた可動係合部４４によって係止されたカメラモジュール３３に作用させるモジュール挿入方向に直交する方向の押圧力は、そのカメラモジュール３３のモジュール挿入方向に直交する全方向の変位を妨げることになる。
【００４２】
また、上述のコンタクト部材４０ａ及び４０ｂがカメラモジュール３３に作用させるモジュール挿入方向とは逆の方向の押圧力（図４におけるＦａｖ及びＦｂｖ）を含んだ、ソケット型コネクタ装置３１における複数のコンタクト部材４０の夫々が、ハウジング３７の開口部３２側に設けられた可動係合部４４により係止されたカメラモジュール３３に作用させる、モジュール挿入方向とは逆の方向の押圧力は、カメラモジュール３３を可動係合部４４に押し付ける働きをする。それにより、複数のコンタクト部材４０の夫々がカメラモジュール３３に作用させるモジュール挿入方向とは逆の方向の押圧力は、カメラモジュール３３のモジュール挿入方向の変位及びモジュール挿入方向とは逆の方向の変位を妨げることになる。なお、可動係合部４４は、一端側がハウジング３７における側壁部３９に固定され他端側が自由端を成すものとされた弾性板状部材４３の自由端に形成されていて、モジュール挿入方向に直交する方向にのみ移動するものとされているので、モジュール挿入方向とは逆の方向の押圧力に対しては、十分な対抗力を有している。
【００４３】
このようにして、ソケット型コネクタ装置３１にあっては、夫々が比較的簡単な構成のものとされる複数のコンタクト部材４０及び可動係合部４４が、複数のコンタクト部材４０の各々がカメラモジュール３３に設けられた接続端子部３６に帯状部分４０Ａをもって押圧接触したもとで、カメラモジュール３３のモジュール挿入方向の変位及びモジュール挿入方向とは逆の方向の変位とモジュール挿入方向に直交する方向の変位とのいずれをも妨ぐことになる。
【００４４】
従って、本発明に係るコネクタ装置の一例をなすソケット型コネクタ装置３１によれば、ハウジング３７内に開口部３２を通じてモジュール挿入方向をもって挿入され、可動係合部４４により複数のコンタクト部材４０の夫々が接続端子部３６に帯状部分４０Ａをもって押圧接触する状態をもって係止されるカメラモジュール３３についての、モジュール挿入方向の変位，モジュール挿入方向とは逆の方向の変位あるいはモジュール挿入方向に直交する方向の変位によるガタツキの発生を、比較的簡単な構成をもって、効果的に抑制することができることになる。そして、その結果、カメラモジュール３３に設けられた接続端子部３６のハウジング３７に配されたコンタクト部材４０に対する位置ずれ，カメラモジュール３３に設けられた接続端子部３６あるいはハウジング３７に配されたコンタクト部材４０の磨耗等が生じる事態を回避できる。
【００４５】
上述のソケット型コネクタ装置３１は、あくまで本発明に係るコネクタ装置の一例であり、本発明に係るコネクタ装置は、必要に応じて、カメラモジュール以外の電気部品に対応した、上述の例とは異なる形態を取るものとして構成され得るものである。
【産業上の利用可能性】
【００４６】
以上のような本発明に係るコネクタ装置は、カメラモジュール等とされる第１の電気部品を印刷配線基板等とされる他の第２の電気部品に電気的に接続された状態とするために用いることができ、その際、第２の電気部品に電気的に接続された第１の電気部品について、その特定方向の変位によるガタツキの発生を、比較的簡単な構成をもって効果的に抑制することができるものとして、携帯電話機やその他の様々な電子機器等に広く適用され得るものである。
【図面の簡単な説明】
【００４７】
【図１】本発明に係るコネクタ装置の一例を示す斜視図である。
【図２】図１に示される例がカメラモジュールを印刷配線基板に電気的に接続するために用いられた適用例を示す斜視図である。
【図３】図１に示される例をカメラモジュールと共に示す一部破断側面図を含む断面図である。
【図４】図１に示される例をそれに挿入されたカメラモジュールと共に示す一部破断側面図を含む断面図である。
【図５】従来提案されたコネクタ装置がカメラモジュールを印刷配線基板に電気的に接続するために用いられた例を示す斜視図である。
【図６】従来提案されているコネクタ装置の例（従来例）を示す斜視図である。
【図７】図６に示される従来例をカメラモジュールと共に示す一部破断側面図を含む断面図である。
【図８】図６に示される従来例をそれに挿入されたカメラモジュールと共に示す一部破断側面図を含む断面図である。
【符号の説明】
【００４８】
３０・・・印刷配線基板，  ３１・・・ソケット型コネクタ装置，  ３２・・・開口部，  ３３・・・カメラモジュール，  ３４・・・基部，  ３６・・・接続端子部，  ３７ハウジング，  ３８・・・端面部，  ３９・・・側壁部，  ４０・・・コンタクト部材，  ４０Ａ・・・帯状部分，  ４３・・・弾性板状部材，  ４４・・・可動係合部
【図１】
2007012574.tif 000003
【図２】
2007012574.tif 000004
【図３】
2007012574.tif 000005
【図４】
2007012574.tif 000006
【図５】
2007012574.tif 000007
【図６】
2007012574.tif 000008
【図７】
2007012574.tif 000009
【図８】
2007012574.tif 000010